(57)【要約】【課題】複数枚の両面画像記録済用紙によって構成される記録物の所定頁に合い紙としてタブ紙を挿入する際や、タブ紙のタブ部分に見出し文字等の画像を形成する際に、タブ紙に対する表裏面の反転処理を行わないようにし、タブ紙の搬送不良の発生を未然に防止して記録物を円滑に作成する。【解決手段】画像記録装置１００は、画像記録条件の設定に際してディスプレイ１６２に複数の画面を順次表示する。複数枚の普通紙によって構成される記録物の所定頁に挿入する合い紙としてタブ紙２００が選択されている場合には、ディスプレイ１６２に合い紙設定画面Ｇ４が表示される。合い紙設定画面Ｇ４における「する」キー１７５ａの操作によってタブ紙２００に対する画像記録が選択された場合には、片面キー１７６ａのみが操作可能にされ、両面キー１７６ｂは操作できない状態にされる。【選択図】図８
2005289566.tif 000002
【特許請求の範囲】
【請求項１】
搬送中の用紙の表裏面を反転する用紙反転機能を備え、搬送中の用紙に対して画像を記録する画像記録装置において、
搬送すべき用紙がタブ紙である場合に、前記用紙反転機能の実行を規制することを特徴とする画像記録装置。
【請求項２】
前記用紙反転機能を用いて搬送中の用紙の両面に画像を記録する両面画像記録機能を備え、搬送すべき用紙がタブ紙である場合には両面画像記録機能の使用を制限することを特徴とする請求項１に記載の画像記録装置。
【請求項３】
搬送中の用紙の表裏面を反転する用紙反転機能、及び、複数枚の画像記録済用紙における予め設定された所定頁にタブ紙を挿入するタブ紙挿入機能を備えた画像記録装置において、
前記用紙反転機能及び前記タブ紙挿入機能を同時に使用して記録物を作成する場合に、搬送すべき用紙がタブ紙である際には、前記用紙反転機能を無効にすることを特徴とする画像記録装置。
【発明の詳細な説明】
【技術分野】
【０００１】
本発明は、搬送中の用紙の表裏面を反転することができる複写機やプリンタ等の画像記録装置に関し、特に、複数枚の画像記録済用紙における予め設定された所定頁にタブ紙を挿入して記録物を作成することができる画像記録装置に関する。
【背景技術】
【０００２】
複写機やプリンタ等の画像記録装置として、複数枚の用紙に対する画像記録を連続して行い、複数枚の画像記録済用紙によって構成される記録物における所定頁に色紙等の合い紙を自動的に挿入する機能を備えたものがある。また、合い紙として、定形サイズの一辺の一部からタブを突出させたタブ紙を、タブの無い普通紙が収納された給紙トレイとは異なる給紙トレイから給紙するタブ紙挿入機能を備えたものがある（例えば、特許文献１及び２参照。）。タブ紙は、一辺の互いに異なる複数の位置のそれぞれからタブを順次突出させた所定枚数（例えば、５枚）を１組として複数組を積み重ねた状態で給紙トレイに収納される。このようにタブ紙を取り扱う画像記録装置では、タブ紙のタブ部分に見出し文字等の画像を形成するようにしたものもある。
【０００３】
画像記録装置においてタブ紙を搬送する場合、タブが給紙方向の前側に突出した状態でタブ紙を給紙すると、搬送部材との接触タイミングが搬送方向に直交する方向において一定にならず、タブ紙の搬送が不安定になる。また、タブが給紙方向に平行な辺から突出した状態でタブ紙を給紙すると、搬送方向に直交する方向においてタブ紙の中心位置が普通紙の中心位置に一致しないために、排紙トレイ上におけるタブ紙と普通紙との収納位置を整合させることが難しい。さらに、画像記録処理の高速化の要請により、用紙の短辺を搬送方向に平行にして搬送されることが多く、一般的なタブ紙は定形サイズの長辺からタブが突出している。これらのことから、通常、タブ紙は、タブが給紙方向の後側に突出した状態で給紙トレイから給紙される。
【０００４】
一方、従来の画像記録装置では、用紙に対する画像記録処理として、用紙の片面に画像を記録するだけでなく、用紙の両面に画像を記録する両面画像記録機能を備えたものもある。このような画像記録装置は、搬送中の用紙の表裏面を反転する用紙反転機能を備えており、第１面に画像が形成された用紙は装置内で表裏面を反転された後に第２面に対する画像記録が行われる。
【特許文献１】特開平０８−２４５０４７号公報
【特許文献２】特開２００１−３０２０２２号公報
【発明の開示】
【発明が解決しようとする課題】
【０００５】
上記の両面画像記録機能に使用される用紙反転機能は、用紙の搬送方向における前後端を反転することによって用紙の表裏面を反転する。したがって、複数枚の両面画像記録済用紙における所定頁にタブ紙を挿入して記録物を作成する場合、タブ紙を普通紙と同様に搬送すると、タブ紙における搬送方向の後側に突出していたタブが、タブ紙の反転後にはタブ紙における搬送方向の前側に突出することになる。このため、表裏面を反転した後のタブ紙の搬送中に斜め送りやジャム等の搬送不良を発生し、記録物を円滑に作成することができなくなる。
【０００６】
また、タブ紙のタブ部分に見出し文字等の画像を記録する際に両面画像記録処理を行った場合にも、第１面の画像記録処理時にタブ紙における搬送方向の後側に突出していたタブが、第２面の画像記録処理時にはタブ紙における搬送方向の前側に突出し、同様の問題を生じる。
【０００７】
この発明の目的は、複数枚の両面画像記録済用紙によって構成される記録物の所定頁に合い紙としてタブ紙を挿入する際や、タブ紙のタブ部分に見出し文字等の画像を形成する際に、タブ紙に対する表裏面の反転処理を行わないようにし、タブ紙の搬送不良の発生を未然に防止して記録物を円滑に作成することができる画像記録装置を提供することにある。
【課題を解決するための手段】
【０００８】
この発明は、上記の課題を解決するための手段として、以下の構成を備えたものである。
【０００９】
（１）搬送中の用紙の表裏面を反転する用紙反転機能を備え、搬送中の用紙に対して画像を記録する画像記録装置において、
搬送すべき用紙がタブ紙である場合に、前記用紙反転機能の実行を規制することを特徴とする。
【００１０】
この構成においては、タブ紙に対する用紙反転機能の実行が規制される。したがって、タブ紙は、搬送中に搬送方向の前後端を反転して表裏面を反転されることがなく、搬送中のタブ紙の搬送方向の前側にタブが突出することがない。
【００１１】
（２）前記用紙反転機能を用いて搬送中の用紙の両面に画像を記録する両面画像記録機能を備え、搬送すべき用紙がタブ紙である場合には両面画像記録機能の使用を制限することを特徴とする。
【００１２】
この構成においては、タブ紙に対する両面画像記録機能の使用が制限される。したがって、タブ紙は、搬送中に搬送方向の前後端を反転して両面に画像を記録されることがなく、搬送中のタブ紙の搬送方向の前側にタブが突出することがない。
【００１３】
（３）搬送中の用紙の表裏面を反転する用紙反転機能、及び、複数枚の画像記録済用紙における予め設定された所定頁にタブ紙を挿入するタブ紙挿入機能を備えた画像記録装置において、
前記用紙反転機能及び前記タブ紙挿入機能を同時に使用して記録物を作成する場合に、搬送すべき用紙がタブ紙である際には、前記用紙反転機能を無効にすることを特徴とする。
【００１４】
この構成においては、用紙反転機能によって表裏面が反転された複数枚の画像記録済用紙における予め設定された所定頁にタブ紙を挿入する場合であっても、タブ紙に対しては用紙反転機能が無効にされる。したがって、複数枚の両面画像記録済用紙における所定頁に挿入されるタブ紙は、搬送中に搬送方向の前後端を反転して表裏面を反転されることがなく、搬送中のタブ紙の搬送方向の前側にタブが突出することがない。
【発明の効果】
【００１５】
上記の構成により、この発明によれば、以下の効果を奏することができる。
【００１６】
（１）搬送中のタブ紙に対しては搬送方向の前後端の反転を規制することにより、搬送中のタブ紙の搬送方向の前側にタブが突出することを確実に防止でき、タブ紙の搬送不良の発生を未然に防止して記録物を円滑に作成することができる。
【００１７】
（２）搬送中のタブ紙に対しては両面への画像の記録を行わないようにすることにより、搬送中のタブ紙の搬送方向の前側にタブが突出することを確実に防止でき、タブ紙の搬送不良の発生を未然に防止して記録物を円滑に作成することができる。
【００１８】
（３）複数枚の両面画像記録済用紙における所定頁に挿入されるタブ紙に対しては、搬送中に搬送方向の前後端を反転して表裏面を反転しないようにすることより、搬送中のタブ紙の搬送方向の前側にタブが突出することを確実に防止でき、タブ紙の搬送不良の発生を未然に防止して記録物を円滑に作成することができる。
【発明を実施するための最良の形態】
【００１９】
図１は、この発明の実施形態に係る画像記録装置の構成を示す図である。画像記録装置１００は、画像読取部１１０、排紙部１２０、画像記録部１３０及び給紙部１４０からなる。画像読取部１１０は、露光ユニット１１１ａ，１１１ｂ、レンズ１１２及び固体撮像素子（ＣＣＤ）１１３を介して原稿の画像を読み取る。原稿は、自動原稿送り装置１１４を介して原稿台１１５の上面に搬送されるか、又は、自動原稿送り装置１１４を回動させて原稿台１１６の上面に手動により載置される。ＣＣＤ１１３は、原稿の画像面における反射光の受光信号を出力する。この受光信号は、ディジタルデータに変換されて画像データとして画像記録部１３０に供給される。
【００２０】
画像記録部１３０は、感光体ドラム１３１の周囲に帯電器１３２、現像ユニット１３３及び転写ユニット１３４を配置するとともに、露光ユニット１３５及び定着ユニット１３６を備え、電子写真方式の画像記録を行う。画像記録部１３０は、画像読取部１１０から供給された画像データに対して図示しない制御部において所定の画像処理を施し、この画像データに基づいて露光ユニット１３５から照射される画像光によって感光体ドラム１３１の表面を走査する。画像光の走査によって感光体ドラム１３１の表面に形成された静電潜像が、現像ユニット１３３から供給される現像剤によって現像剤像に可視像化される。現像剤像は、転写ユニット１３４によって給紙部１４０から給紙された用紙上に転写される。現像剤像が転写された用紙は定着ユニット１３６において加熱及び加圧され、現像剤が溶融して用紙上に定着する。
【００２１】
給紙部１４０は、給紙トレイ１４１〜１４４及び手差しトレイ１４５を備えている。各トレイ１４１〜１４５には、それぞれ単一種類及び単一サイズの用紙が収納される。給紙部１４０には、トレイ１４１〜１４５のそれぞれから画像記録部１３０内に向けて給紙搬送路１４６が形成されており、トレイ１４１〜１４５の何れかから１枚ずつ給紙された用紙が画像記録部１３０内に給紙される。
【００２２】
給紙トレイ１４１，１４２には、一般に、Ａ４サイズやＢ５サイズ等の比較的小型で使用頻度の高い普通紙が収納される。給紙トレイ１４３，１４４には、一般に、Ａ３サイズやＢ４サイズ等の比較的大型で使用頻度の低い普通紙が収納される。また、給紙トレイ１４３には、タブ紙を含む合い紙等の特殊紙が収納される場合がある。手差しトレイ１４５には、給紙トレイ１４１〜１４４に収納されている用紙以外のサイズの用紙やタブ紙を含む合い紙等の特殊紙が収納される。
【００２３】
タブ紙を含む合い紙が給紙トレイ１４３又は手差しトレイ１４５に収納されるのは、大容量の給紙トレイ１４１，１４２には使用頻度の高い普通紙を大量に収納すべきだからである。また、通常、給紙トレイ１４１，１４２に収納された複数枚の用紙に対する画像記録処理時に給紙される合い紙は、画像記録処理の短時間化の要請から、画像記録部１３０までの搬送距離が長い給紙トレイ１４４に収納すべきでないからである。
【００２４】
画像記録部１３０内には、主搬送路１３７、反転搬送路１３８及び排紙搬送路１３９が形成されている。主搬送路１３７は、給紙搬送路１４６から感光体ドラム１３１と転写ユニット１３４の間及び定着ユニット１３６を経由して排紙搬送路１３９に至る。排紙搬送路１３９には、用紙を排紙部１２０の排紙トレイ１２２上に排出する排紙ローラ１２１が配置されている。反転搬送路１３８は、排紙搬送路１３９と給紙部１４０の給紙搬送路１４６との間に連通している。
【００２５】
画像記録装置１００の一方の側面には、後処理装置５００が装着されている。後処理装置５００は、画像記録済用紙にパンチ孔の穿孔処理やステープル処理等の後処理を施す後処理ユニット５０１を備え、排紙トレイ５０２，５０３が装着されている。
【００２６】
画像記録装置１００は、搬送中の用紙の表裏面を反転する用紙反転機能、及び、用紙反転機能を用いて用紙の両面に画像を記録する両面画像記録機能を備えている。排紙搬送路１３９に配置された排紙ローラ１２１は、正逆両方向に回転可能にされている。排紙ローラ１２１は、用紙が主搬送路１３７を経由して排紙搬送路１３９に搬送されてきた時点で用紙を排紙トレイ１２２に排出できるように正転しており、用紙を排紙トレイ１２２に排出する際には正転を継続する。用紙反転機能によって用紙の表裏面を反転する際には、排紙ローラ１２１は排紙搬送路１３９に搬送されてきた用紙の搬送方向における後端部を挟持した状態で一旦回転を停止した後に逆方向に回転を開始し、用紙の搬送方向における前後端を反転して反転搬送路１３８内に導く。
【００２７】
用紙の片面に画像を記録する片面画像記録処理時には、給紙部１４０から給紙された用紙は、給紙搬送路１４６及び主搬送路１３７を経由する間に画像記録部１３０で片面に画像が記録された後、排紙搬送路１３９を経由して排紙トレイ１２２に画像記録面を下向きにして排出される。
【００２８】
用紙の両面に画像を記録する両面画像記録処理時には、給紙部１４０から給紙された用紙は、給紙搬送路１４６及び主搬送路１３７を経由する間に画像記録部１３０で第１面に画像が記録された後、用紙の搬送方向の後端部を挟持した状態で逆回転する排紙ローラ１２１により、搬送方向の前後端を反転して反転搬送路１３８に導かれる。反転搬送路１３８に導かれた用紙は、給紙搬送路１４６及び主搬送路１３７を経由する間に表裏面を反転した状態で感光体ドラム１３１に対向し、第２面に画像が記録された後に排紙搬送路１３９を経由して排紙トレイ１２２に排出される。
【００２９】
なお、画像記録済用紙に後処理を施す場合、給紙部１４０から給紙された用紙、又は、反転搬送路１３８を経由した用紙は、給紙搬送路１４６及び主搬送路１３７を経由する間に画像記録部１３０で画像が記録された後、用紙の搬送方向の後端部を挟持した状態で逆回転する排紙ローラ１２１により、搬送方向の前後端を反転して後処理装置１８０に導かれる。
【００３０】
図２は、上記画像記録装置の制御部の構成を示すブロック図である。画像記録装置１００の制御部１５０は、ＲＯＭ１５２及びＲＡＭ１５３を備えたＣＰＵ１５１に、原稿搬送系駆動回路１５４、画像読取系駆動回路１５５、画像記録系駆動回路１５６、用紙搬送系駆動回路１５７及び画像処理回路１５８とともに操作パネルコントローラ１５９を接続して構成されている。
【００３１】
原稿搬送系駆動回路１５４は、自動原稿送り装置１１４に備えられた原稿搬送用のモータやクラッチ等を駆動する。画像読取系駆動回路１５５は、画像読取部１１０に備えられた走査ユニット１１１ａ，１１１ｂの移動用のモータやクラッチ等を駆動する。画像記録系駆動回路１５６は、画像記録部１３０に備えられた画像記録用のモータ、クラッチ及び高圧電源等を駆動する。用紙搬送系駆動回路１５７は、搬送路１３７〜１３９，１４６において用紙を給紙及び搬送するローラ等の部材の回転に用いられるモータやクラッチ等を駆動する。画像処理回路１５８は、画像読取部１１０において読み取られた画像データに所定の画像処理を施す。操作パネルコントローラ１５９は、操作パネル１６０に設けられたキー１６１の操作状態を検出するともに、ディスプレイ１６２に画像記録条件の設定状態や装置の動作状態を表示する。
【００３２】
ＣＰＵ１５１は、操作パネルコントローラ１５９から入力された画像記録条件の設定内容に応じて、ＲＯＭ１５２に予め書き込まれたプログラムにしたがって各駆動部１５４〜１５７及び画像処理回路１５８を動作させる。この間に入出力されるデータは、ＲＡＭ１５３に一時格納される。ＲＡＭ１５３のメモリエリアＭＡ１は、後述するカウンタＣ１に割り当てられている。また、ＲＡＭ１５３のメモリエリアＭＡ２は、後述する所定頁Ｙｉの記憶エリアに割り当てられている。さらに、ＲＡＭ１５３のメモリエリアＭＡ３は、後述するカウンタＣ２に割り当てられている。
【００３３】
画像記録装置１００は、複数枚の画像記録済用紙における予め設定された所定頁にタブ紙を挿入するタブ紙挿入機能を備えている。画像記録装置１００は、タブ紙挿入機能を用いて記録物を作成する場合には、操作パネル１６０において、画像記録処理の開始前にタブ紙を挿入すべき所定頁の設定、及び、タブ紙を給紙すべきトレイの選択を受け付ける。タブ紙２００は、例えば、図３（Ａ）に示すように、一辺の互いに異なる５箇所のそれぞれからタブを順次突出させた５枚を１組として複数組を積み重ねた状態で手差しトレイ１４５に収納される。例えば、給紙トレイ１４１に図３（Ｂ）に示す状態で収納された普通紙３００が矢印で示す方向に１枚ずつ給紙される画像記録処理時に、予め設定された所定頁の位置に手差しトレイ１４５から図３（Ａ）中矢印で示す方向にタブ紙２００が給紙される。これによって、例えば、図３（Ｃ）に示す状態の記録物４００が、単一又は複数部作成される。
【００３４】
上述のように、タブ紙は、一辺を所定の分割数で分割した互いに異なる複数の位置のそれぞれからタブを突出させた所定数枚を１組として構成されているが、複数部の記録物を連続して作成する場合、作成された記録物の各部において必ずしも整数組のタブ紙が使用されるとは限らない。このため、タブ紙を手差しトレイ１４５から順次１枚ずつ給紙するだけでは、複数部の記録物のそれぞれでタブの配置が同一にならない場合を生じる。
【００３５】
例えば、図３に例示したように、５枚を１組としたタブ紙２００を１部当り３枚ずつ使用する記録物を作成する場合、単にタブ紙２００を手差しトレイ１４５から順次１枚ずつ給紙して画像記録済用紙に挿入すると、１部の記録物について２枚のタブ紙が余ることになり、図４に示すように、第１部目の記録物４０１においては最上部の位置にタブを突出させたタブ紙２０１が最初に挿入され、２部目の記録物４０２においては上から４番目の位置にタブを突出させたタブ紙２０４が最初に挿入されることになる。
【００３６】
これでは、複数部の記録物４００（４０１，４０２，・・・）を同一の構成で作成することができないだけでなく、排紙トレイ１２２上に連続して排出された複数部の記録物４００を１部ずつ取り分ける作業が煩雑になる。
【００３７】
そこで、この画像記録装置１００では、画像記録済用紙の所定頁にタブ紙２００を挿入するタブ紙挿入機能を使用する際には、一辺の最上部からタブが突出しているタブ紙が最上面に位置している状態を初期状態として、１部の記録物が完成したことを区切りとして、トレイに収納されているタブ紙２００の状態を初期状態に復帰させる。
【００３８】
このため、画像記録装置１００は、１組のタブ紙２００の構成枚数、即ち、タブ紙の分割数を記憶する手段と、タブ紙２００の給紙枚数を管理する手段と、を少なくとも備えている。
【００３９】
また、画像記録装置１００は、記録物においてタブ紙を挿入すべき所定頁の設定入力を受け付ける手段を備えている。
【００４０】
さらに、画像記録装置１００は、トレイにおけるタブ紙の収納状態を初期状態に戻す際には、タブ紙に対する画像の記録を行わない。
【００４１】
加えて、画像記録装置１００は、トレイにおけるタブ紙の収納状態を初期状態に戻す際に、所定枚数のタブ紙を記録物の排出位置と異なる位置に収納する。
【００４２】
また、画像記録装置１００は、互いに異なるトレイから画像記録部に給紙された用紙及びタブ紙に画像を記録することができ、連続して給紙される複数枚のタブ紙に画像を記録する第１の画像記録モードと、頁順に給紙される普通紙及びタブ紙に画像を記録して記録物を作成する第２の画像記録モードと、の何れかを選択的に実行する。
【００４３】
さらに、画像記録装置１００は、互いに異なるトレイから画像記録部に給紙された表紙、普通紙及びタブ紙に画像を記録することができ、普通紙及びタブ紙に画像を記録して記録物を作成する第３の画像記録モードと、表紙、普通紙及びタブ紙に画像を記録して記録物を作成する第４の画像記録モードと、の何れかを選択的に実行するものとすることができる。
【００４４】
図５は、上記画像記録装置のタブ紙挿入機能を使用する画像記録処理時における制御部の処理手順を示すフローチャートである。画像記録装置１００の制御部１５０を構成するＣＰＵ１５１は、操作パネル１６０におけるキー操作により、タブ紙挿入機能に使用するタブ紙２００の分割数Ｘ、及び、記録物４００においてタブ紙２００を挿入すべき所定頁Ｙｉ（ｉ＝１，２，・・・）の設定を受け付け（Ｓ１，Ｓ３）、入力された分割数ＸをＲＡＭ１５３のメモリエリアＭＡ１に割り当てられたカウンタＣ１に計数値として設定するとともに（Ｓ２）、所定頁ＹｉをメモリエリアＭＡ２に格納する（Ｓ４）。このとき、ＣＰＵ１５１は、タブ紙２００の収納位置の設定入力も受け付ける。ここでは、手差しトレイ１４５にタブ紙２００が収納されるものとする。
【００４５】
ＣＰＵ１５１は、操作パネル１６０においてスタートキーが操作されると（Ｓ５）、メモリエリアＭＡ３に割り当てられた頁数を計数するカウンタＣ２の計数値をインクリメントし（Ｓ６）、カウンタＣ２の計数値がメモリエリアＭＡ２に格納している所定頁Ｙｉの何れかに一致するか否かを判別する（Ｓ７）。
【００４６】
カウンタＣ２の計数値がメモリエリアＭＡ２に格納している所定頁Ｙｉの何れかに一致する場合には、ＣＰＵ１５１は、手差しトレイ１４５からタブ紙２００を給紙し（Ｓ８）、カウンタＣ１の計数値をデクリメントする（Ｓ９）。
【００４７】
カウンタＣ２の計数値がメモリエリアＭＡ２に格納している所定頁Ｙｉの何れにも一致しない場合には、ＣＰＵ１５１は、給紙トレイ１４１〜１４４（特に、給紙トレイ１４１又は１４２）の何れかからタブ紙２００と同一サイズの普通紙を給紙し（Ｓ１０）、画像データに基づく画像記録処理を実行する（Ｓ１１）。
【００４８】
ＣＰＵ１５１は、Ｓ８で給紙したタブ紙２００、又は、Ｓ１０で給紙した普通紙を排紙トレイ１２２に排出する（Ｓ１２）。
【００４９】
なお、タブ紙２００のタブ部分に見出し文字等の画像を記録する場合には、ＣＰＵ１５１は、画像記録部１３０における画像記録の開始タイミングを所定時間だけ遅らせる。タブ部分は、タブ紙２００と同一サイズの定形サイズの普通紙よりも搬送方向の後ろ側に突出しているからである。
【００５０】
この後、ＣＰＵ１５１は、次頁の画像が存在するか否かの判別を行い（Ｓ１３）、次頁分の画像データがなくなるまでＳ６〜Ｓ１２の処理を繰り返し実行する（Ｓ１３→Ｓ６）。このとき、ＣＰＵ１５１は、カウンタＣ１の計数値が０であるか否かの判別を行い（Ｓ１４）、カウンタＣ１の計数値が０である場合には分割数Ｘを再度カウンタＣ１に設定する（Ｓ１５）。
【００５１】
次頁分の画像データがなくなると、ＣＰＵ１５１は、カウンタＣ１の計数値が０であるか否かを判別し（Ｓ１６）、カウンタＣ１の計数値が０でない場合には、手差しトレイ１４５からタブ紙２００を給紙し（Ｓ１７）、カウンタＣ１の計数値をデクリメントする（Ｓ１８）。このとき、ＣＰＵ１５１は、給紙したタブ紙２００を画像を記録することなく後処理装置５００の排紙トレイ５０２に排出する（Ｓ１９）。これによって、手差しトレイ１４５におけるタブ紙２００の収納状態が初期状態に戻される。
【００５２】
ＣＰＵ１５１は、カウンタＣ１の計数値が０になるまでＳ１７〜Ｓ１８の処理を繰り返す（Ｓ１９→Ｓ１６）。さらに、ＣＰＵ１５１は、設定された作成部数の画像記録処理が終了するまでＳ６〜Ｓ１９の処理を繰り返す（Ｓ２０→Ｓ６）。このとき、ＣＰＵ１５１は、カウンタＣ２の計数値を０にするとともに（Ｓ２１）、分割数Ｘを再度カウンタＣ１に設定する（Ｓ２２）。
【００５３】
以上の処理により、所定頁にタブ紙を挿入した記録物を複数部連続して作成する場合に、１部の記録物が完成した時点で手差しトレイ１４５におけるタブ紙２００の収納状態が初期状態に戻され、タブ紙の挿入状態が同一の複数部の記録物を連続して作成することができる。
【００５４】
なお、例えば、普通紙を給紙トレイ１４１に収納し、タブ紙２００を手差しトレイ１４５に収納するとともに、表紙を給紙トレイ１４３に収納し、表表紙及び裏表紙を含み所定頁にタブ紙を挿入して構成された記録物を作成することもできる。この場合に、給紙トレイ１４３から給紙された表表紙及び裏表紙に対して画像を記録することもできる。
【００５５】
また、複数枚の両面画像記録済の普通紙の所定頁にタブ紙２００を挿入して構成された記録物を作成する場合、Ｓ１１の画像記録処理は両面画像記録処理であり、給紙トレイ１４１又は１４２から給紙した普通紙を、第１面に対する画像記録を終了した後に、排紙搬送路１３９から反転搬送路１３８に導き、搬送方向の前後端を反転して第２面に対する画像記録処理を行う。
【００５６】
但し、Ｓ８で手差しトレイ１４５から給紙したタブ紙２００は、画像を記録するか否かに拘らず排紙搬送路１３９から反転搬送路１３８に導くことなく排紙トレイ１２２に排出する。搬送方向の前後端が反転することによるタブ紙２００における搬送方向の前側へのタブの突出を防止し、タブ紙２００のは搬送不良の発生を未然に防ぐために、タブ紙２００が挿入される複数枚の普通紙の画像記録処理に両面画像記録機能が使用されている場合でも、タブ紙２００の搬送時には両面画像記録機能が無効にされる。
【００５７】
図６〜８は、上記画像記録装置のディスプレイにおける表示状態の遷移の一例を示す図である。画像記録装置１００は、記録物の所定頁にタブ紙２００を挿入するタブ紙挿入機能を使用する場合、画像記録処理の開始前に予めタブ紙挿入機能に関する条件の設定入力を受け付ける。なお、タブ紙は印刷物の所定頁に挿入される合い紙の一形態であり、画像記録装置１００においては、合い紙として扱われる。
【００５８】
即ち、操作パネル１６０のディスプレイ１６２に図６（Ａ）に示す初期画面Ｇ１を表示している際に、ディスプレイ１６２上に配置されたタッチパネルにおける特別機能キー１７１の表示部分を押圧操作すると、ディスプレイ１６２には特別機能の選択を受け付ける特別機能選択画面が表示される。この例では、タブ紙挿入機能に係る表紙／合い紙キー１７２は、図６（Ｂ）に示す特別機能選択画面の第２画面Ｇ２に表示される。特別機能選択画面の画面数の表示切換は、カーソルキー１７３ａ，１７３ｂの操作による。
【００５９】
特別機能選択画面の第２画面Ｇ２において表紙／合い紙キー１７２を操作すると、ディスプレイ１６２には図６（Ｃ）に示す表紙／合い紙設定画面Ｇ３が表示される。この例では、合い紙Ａと合い紙Ｂとの２種類の合い紙を挿入することができ、表紙／合い紙設定画面Ｇ３には合い紙Ａ選択キー１７４ａ、合い紙Ｂ選択キー１７４ｂが表示される。
【００６０】
表紙／合い紙設定画面Ｇ３において合い紙Ａ選択キー１７４ａ又は合い紙Ｂ選択キー１７４ｂを操作すると、ディスプレイ１６２には図６（Ｄ）に示す合い紙設定画面Ｇ４が表示される。合い紙設定画面Ｇ４において、合い紙に画像を記録する場合に「する」キー１７５ａを操作すると、片面キー１７６ａ、両面キー１７６ｂが操作可能になる。デフォルトでは、合い紙に画像を記録しない状態を選択する「しない」キー１７５ｂが操作された状態になっている。
【００６１】
図６（Ｃ）に示す表紙／合い紙設定画面Ｇ３において給紙トレイ設定キー１８４を操作すると、ディスプレイ１６２には、図７（Ａ）に示す給紙トレイ設定画面Ｇ５が表示される。給紙トレイ設定画面Ｇ５においてトレイキー１７８ａ〜１７８ｄのうち、例えばトレイキー１７８ｄを操作すると、ディスプレイ１６２には、図７（Ｂ）に示す合い紙トレイ設定画面Ｇ６が表示され、トレイキー１８５ａ〜１８５ｅの何れかを操作することにより、トレイ１４１〜１４５のうちで操作されたキーに対応するトレイが合い紙Ｂを給紙すべきトレイが設定される。なお、各トレイ１４１〜１４５に収納されている用紙種類は、図７（Ｄ）に示す収納用紙選択画面Ｇ８において予め選択される。
【００６２】
図６（Ｄ）に示す合い紙設定画面Ｇ４においてＯＫキー１７９を操作すると、ディスプレイ１６２には、図６（Ｃ）に示す表紙／合い紙設定画面Ｇ３が挿入設定キー１８０を操作可能にした状態で表示される。この挿入設定キー１８０を操作すると、ディスプレイ１６２には図７（Ｃ）に示す挿入設定画面Ｇ７が表示される。ディスプレイ１６２に挿入設定画面Ｇ７が表示されている状態で、図示しないテンキーの操作により合い紙を挿入すべき所定頁を入力すると、挿入設定画面Ｇ７における挿入ページ表示部１８１に入力した数値が表示される。ここで、確定キー１８２を操作すると挿入ページ表示部１８１に表示されていた数値が所定頁として設定されるとともに、挿入ページ表示部１８１が空欄になり、さらに、合い紙枚数合計表示部１８３には設定済の合い紙の枚数が積算表示される。
【００６３】
図７（Ｃ）に示す挿入設定画面Ｇ７においてＯＫキー１８６を操作すると、ディスプレイ１６２には、図６（Ｃ）に示す表紙／合い紙設定画面Ｇ３にはページレイアウトキー１８７を操作可能にした状態で表示される。このページレイアウトキー１８７を操作すると、ディスプレイ１６２には図８（Ａ）に示すページレイアウト画面Ｇ９が表示され、記録物における合い紙の挿入枚数及び所定頁の設定内容の確認及び変更が可能になる。
【００６４】
合い紙としてタブ紙２００を記録物に挿入する場合には、図７（Ｄ）に示す収納用紙選択画面Ｇ８におけるタブ紙キー１８８を操作し、手差しトレイ１４５から給紙される合い紙としてタブ紙を選択する。これによって、図７（Ｂ）に示す合い紙トレイ設定画面Ｇ６における手差しトレイ１４５の収納用紙の表示部１８９には「タブ紙」と表示される。また、図６（Ｄ）に示した合い紙設定画面Ｇ４は、図８（Ｂ）に示す状態に変化する。
【００６５】
図８（Ｂ）に示す合い紙設定画面Ｇ４では、用紙表示部１９０に手差しトレイ１４５からタブ紙２００を給紙する状態であることが表示されるとともに、合い紙コピーの選択において片面キー１７６ａのみが操作可能にされ、両面キー１７６ｂは操作できない状態で表示される。したがって、タブ紙２００に対して両面画像記録処理は行われない。
【００６６】
これは、画像記録装置１００における両面画像記録処理では、第１面に対する画像記録を完了した用紙の搬送方向の前後端を反転することによって用紙の表裏面を反転して用紙の第２面に画像を記録するが、タブ紙２００について両面画像記録処理行うと第２面に対する画像記録時にタブ紙２００の前側にタブが突出し、タブ紙２００の搬送不良を生じる可能性が高くなるからである。このため、タブ紙２００に対する両面画像記録機能の使用を制限している。
【００６７】
図８（Ｂ）に示す合い紙設定画面Ｇ４では、タブ紙２００のタブ部分に対して画像を記録するタブコピーを選択するためのタブコピーキー１９１が操作可能にして表示される。タブコピーキー１９１を操作すると、ディスプレイ１６２には、図８（Ｃ）に示すタブコピー設定画面Ｇ１０が表示される。タブコピー設定画面Ｇ１０では、アップダウンキー１９２ａ，１９２ｂにより、使用するタブ紙２００におけるタブの突出量を画像シフト幅として設定することができる。タブコピー時には、露光ユニット１３５による画像光の露光走査開始タイミングを設定されている画像シフト幅だけ遅らせる。
【００６８】
なお、図６（Ｂ）に示した特別機能選択画面Ｇ２においてタブコピー機能を選択した場合にも、図８（Ｃ）のタブコピー設定画面Ｇ１０が表示され、ここで入力された画像シフト量に基づいて、レイ１４５等の特定のトレイから複数枚のタブ紙２００のみを連続して給紙し、タブ紙２００のタブ部分への画像の記録を連続して行う。
【００６９】
タブコピーについての設定が完了すると、ディスプレイ１６２には、初期画面Ｇ１が図８（Ｄ）に示す状態で表示される。この初期画面Ｇ１には、タブコピーを実行することを表すアイコン１９３が表示される。
【図面の簡単な説明】
【００７０】
【図１】この発明の実施形態に係る画像記録装置の構成を示す図である。
【図２】上記画像記録装置の制御部の構成を示すブロック図である。
【図３】上記画像記録装置におけるタブ紙を挿入した記録物の作成状態を説明する図である。
【図４】不適性なタブ紙を挿入した記録物の作成状態を説明する図である。
【図５】上記画像記録装置のタブ紙挿入機能を使用する画像記録処理時における制御部の処理手順を示すフローチャートである。
【図６】上記画像記録装置のディスプレイにおける表示状態の遷移の一例を示す図である。
【図７】上記画像記録装置のディスプレイにおける表示状態の遷移の一例を示す図である。
【図８】上記画像記録装置のディスプレイにおける表示状態の遷移の一例を示す図である。
【符号の説明】
【００７１】
１００          画像記録装置
１３０          画像記録部
１３７          主搬送路
１３８          反転搬送路
１３９          排紙搬送路
１４０          給紙部
１４１〜１４４  給紙トレイ
１４５          手差しトレイ
１４６          給紙搬送路
２００          タブ紙
３００          普通紙
４００          記録物
【図１】
2005289566.tif 000003
【図２】
2005289566.tif 000004
【図３】
2005289566.tif 000005
【図４】
2005289566.tif 000006
【図５】
2005289566.tif 000007
【図６】
2005289566.tif 000008
【図７】
2005289566.tif 000009
【図８】
2005289566.tif 000010